(57)【要約】      （修正有）【課題】傘を収納して携行し易く、さらに内側が非常に乾燥し易い手提げ傘ホルダーを提供する。【解決手段】傘を縦方向に出し入れ可能なように上端１ａが開き下端１ｂが閉じた筒状の収納部１と、収納部１の上部に設けられた提げ手２と、収納部１の下部を縦方向に開閉して内側に通じるためのファスナー３とを備える。使用時には、収納した傘からの雨水が漏れないようにファスナーを閉じ、そして、使用した後には、収納部の内側が外側に通じるようにファスナーを開けて、雨水で濡れた内側を乾燥し易くなっている。【選択図】図１
0003157240.tif 000002
【実用新案登録請求の範囲】
【請求項１】
傘を縦方向に出し入れ可能なように上端が開き下端が閉じた筒状の収納部と、前記収納部の上部に設けられた提げ手と、前記収納部の下部を縦方向に開閉して外側と内側とが通じるファスナーとを備えることを特徴とする手提げ傘ホルダー。
【請求項２】
前記収納部は、二つに折り曲げて保持できるように前記上端と前記下端とを着脱可能な着脱手段を備え、折り曲げたときは折り畳み傘を収納するのに適した長さになり、折り曲げないときは長傘を収納するのに適した長さになることを特徴とする請求項１に記載の手提げ傘ホルダー。
【請求項３】
前記収納部は、内側に溜まる雨水を吸収するための吸水体を着脱可能に備えることを特徴とする請求項１又は２に記載の手提げ傘ホルダー。
【考案の詳細な説明】
【技術分野】
【０００１】
本考案は、折り畳み傘などの傘を収納して携行するための手提げ傘ホルダーに関する。
【背景技術】
【０００２】
雨の日には折り畳み傘などの傘を使用するが、濡れた傘を鞄に入れると鞄の中が濡れてしまうので、鞄とは別の筒状のビニール袋などに傘を収納して携行することが多い。しかし、ビニール袋だと持ち難く、また、ビニール袋の内側は非常に乾き難いので、雨の日が続くと別のビニール袋を用意するか、濡れたまま使わなければならなかった。
【考案の概要】
【考案が解決しようとする課題】
【０００３】
そこで、本考案が解決しようとする課題は、上記した事情に鑑みて、濡れた傘を収納して携行し易く、さらに内側が非常に乾燥し易いように工夫された手提げ傘ホルダーを提供することにある。
【課題を解決するための手段】
【０００４】
上記課題を解決するために、本考案に係る手提げ傘ホルダーは、
傘を縦方向に出し入れ可能なように上端が開き下端が閉じた筒状の収納部と、収納部の上部に設けられた提げ手と、収納部の下部を縦方向に開閉して外側と内側とが通じるファスナーとを備える。
【０００５】
好ましくは、収納部が、二つに折り曲げて保持できるように上端と下端とを着脱可能な着脱手段を備え、折り曲げたときは折り畳み傘を収納するのに適した長さになり、折り曲げないときは長傘を収納するのに適した長さになる。
【０００６】
さらに好ましくは、収納部が、内側に溜まる雨水を吸収するための吸水体を着脱可能に備える。
【考案の効果】
【０００７】
上記の通り、本考案に係る手提げ傘ホルダーは、筒状の収納部に傘を縦方向に出し入れできる。そして、収納部の上部に提げ手を設けているので、非常に持ちやすくなっている。さらに、収納部の下部には、縦方向に開閉して内部に通じるファスナーを備えている。使用時には、収納した傘からの雨水が漏れないようにファスナーを閉じ、そして、使用した後には、収納部の内側が外側に通じるようにファスナーを開けて、雨水で濡れた内側を乾燥し易くなっている。これにより、本考案の手提げ傘ホルダーは、傘を収納して携行し易く、さらに内側が非常に乾燥し易いように工夫されている。
【０００８】
また、収納部が、上端と下端に着脱手段を備えており、二つに折り曲げると折り畳み傘を収納でき、伸ばすと一般の長傘を収納できるようになっており、２タイプの傘を収納できるので非常に便利である。
【０００９】
さらに、収納部には、内側に雨水を吸収する吸水体を備え、吸水体を着脱自在にすることで、使用時には雨水を吸水体に集中して溜めることができ、また、乾燥時には吸水体を取り外すことで、内側が非常に乾燥しやすくなる。
【図面の簡単な説明】
【００１０】
【図１】手提げ傘ホルダーの第一実施形態を示す斜視図。
【図２】手提げ傘ホルダーの第二実施形態を示す斜視図。
【考案を実施するための形態】
【００１１】
以下、図面に基づいて、本考案に係る手提げ傘ホルダーについて説明する。
【００１２】
[第一実施形態]
図１の通り、手提げ傘ホルダーは、縦長の筒状の収納部１を備える。収納部１は、袋状になっており、上端１ａが開口し、下端１ｂが閉じている。収納部１は、畳んだ状態の折り畳み傘を収納するのに適した長さ形状になっている。すなわち、収納部１は、長さが３０ｃｍ〜５０ｃｍ程度に構成されている。そして、収納部１は、開口した上端１ａから折り畳み傘を出し入れできるようになっている。なお、収納部１は、長傘を収納するのに適した長さでもよい。
【００１３】
収納部１は、上部に一対の提げ手２，２が取り付けられている。使用者は、この提げ手２を持って、手提げ傘ホルダーを携行できるようになっている。なお、提げ手は、一つ或いは複数であってもよい。収納部１および提げ手２は、好ましくは同一材料により形成されており、例えば、防水性且つ耐久性に優れた比較的厚めのビニールシートにより形成される。
【００１４】
収納部１は、下部に縦方向に延びたファスナー３を備える。ファスナー３は、開くことにより、収納部１の内側と外側とが通じるようになっている。すなわち、使用時においては、ファスナー３を閉じることで、収納部１の内側と外側とが遮断され、収納部１に入れた傘の雨水で濡れることがなく、また、使用後において、ファスナー３を開くことで、収納部１の内側と外側とが通じ、雨水によって濡れた収納部１の内側を迅速に乾かすことができる。
【００１５】
さらに、収納部１は、下端１ｂの内側に雨水を吸収する吸水体４を入れることができる。吸水体４は、多量の水を吸水・保水できるものであればよく、例えば、多孔性スポンジ状物質、保水性ゲル状物質などがある。吸水体４は、ファスナー３を開くことで、収納部１から出し入れできるようになっている。
【００１６】
したがって、雨で濡れた傘を収納部１に入れ、その状態で提げ手２を持って携行できるので、使用者は傘からの水を気にすることなく持ち運びができる。さらに、使用後は、ファスナー３を開くことで、収納部１の内側と外側とを通じることができるので、水で濡れた収納部１の内側を迅速に乾かすことができる。また、収納部１の下端内部に吸水体４を設けることで、収納した傘の雨水を迅速に吸収でき、水漏れを防止したり、取り外して収納部１の乾燥を速めることができる。
【００１７】
[第二実施形態]
図２の通り、手提げ傘ホルダーの第二実施形態は、折り畳み傘のみでなく一般の長傘にも適した構成になっている。なお、上記した第一実施形態と同じ構成については、重複説明を避けるために詳細な説明を省略する。
【００１８】
この実施形態では、図２Ａの通り、収納部１は、長傘を収納するのに適した長さになっており、８０ｃｍ〜１．２ｍ程度である。さらに、収納部１は、上端１ａ及び下端１ｂを着脱可能な着脱手段５（５ａ，５ｂ）を備える。着脱手段５は、着脱できればよく、例えばホック手段などがある。そして、図２Ｂの通り、着脱手段５を係合することで、収納部１を二つ折りした状態で保持できる。これにより、収納部１は約半分の長さになり、折り畳み傘を収納するのに適した長さになる。
【００１９】
上記の通り、収納部１を長くしたり短くしたりできるので、長傘と折り畳み傘の２タイプに適した長さにできる。したがって、非常に利便性に優れている。
【符号の説明】
【００２０】
１  収納部
２  提げ手
３  ファスナー
４  吸水体
５  着脱手段
【図１】
0003157240.tif 000003
【図２】
0003157240.tif 000004